(57)【要約】【課題】  巻枠体への糸状物の巻取り開始時に簡易な方法で糸状物の始端を繋止可能にし、巻取り工程の縮減及び巻取り装置の簡素化を図ること。【解決手段】  連続した糸状物を、同軸上で複数並列して配置された環状又は多角状の巻枠体１０〜４０に、それぞれ所定の巻幅及び巻数で各々巻取る際に、糸状物の巻回を開始する第１巻枠体１０において、その一端位置１１から、他端位置１２に向けて糸状物を巻幅方向に巻回又は横架させ、再び該一端位置１１に向けて巻取り作業を行うことにより該糸状物の始端を繋止する。【選択図】 図１
2005089173.tif 000002
【特許請求の範囲】
【請求項１】
少なくとも１本の連続した糸状物を、同軸上で複数並列して配置された環状又は多角状の巻枠体に、それぞれ所定の巻幅及び巻数で各々巻取る方法であって、
糸状物の巻回を開始する第１巻枠体において、
該巻幅の一端位置から、他端位置に向けて糸状物を巻幅方向に巻回又は横架させ、
再び該一端位置に向けて該巻回又は横架した糸状物上に重合させて糸状物の巻取り作業を行うことにより該糸状物の始端を繋止した後に、
各巻枠体において、
所定の巻数になるまで巻取り作業を行う
ことを特徴とする糸状物の巻取り方法。
【請求項２】
前記糸状物の巻取り方法において、
所定の巻数のうち、往路における往路巻数と復路における復路巻数とに分けて、
前記第１巻枠体から順に各巻枠体に往路巻数の糸状物を巻回した後、その逆順に各巻枠体に復路巻数の糸状物を巻回し、
第１巻枠体において糸状物の終端が来るようにした
請求項１に記載の糸状物の巻取り方法。
【請求項３】
前記糸状物の巻取り方法において、該糸状物の巻枠体軸方向移動速度が、
前記第１巻枠体でその巻幅の一端位置から、他端位置に向けて糸状物を巻幅方向に巻回又は横架させる際の速度と、
各巻枠体における巻取り作業時の速度と、
各巻枠体における所定の巻数又は、往路巻数、復路巻数の終了時に、当該巻枠体の端部まで糸状物を移動させる速度と、
各巻枠体間で糸状物を移動させる速度と
についてそれぞれ変化させる
請求項１又は２に記載の糸状物の巻取り方法。
【請求項４】
少なくとも１本の連続した糸状物を巻枠体に巻取る装置が、
同軸上で複数並列して配置された環状又は多角状の巻枠体と、
該巻枠体を回転駆動する巻枠体駆動手段と、
該巻枠体の軸方向に移動して糸状物の巻取り位置を変化させる巻取りガイド手段と、
該巻取りガイド手段を制御する制御手段と、
各巻枠体における糸状物の巻数を検出する巻数検出手段と、
を備え、
巻枠体駆動手段により巻枠体を回転駆動させると同時に、
該制御手段が、
該巻枠体のうち、糸状物の巻回を開始する第１巻枠体において、
該巻幅の一端位置から、他端位置に向けて糸状物を巻幅方向に巻回又は横架させ、
再び該一端位置に向けて該巻回又は横架した糸状物上に重合させて糸状物の巻取り作業を行うように巻取りガイド手段を移動制御して該糸状物の始端を繋止した後、
各巻枠体において、
巻数検出手段で巻数を検出しながら巻取り作業を行う
ことを特徴とする糸状物の巻取り装置。
【請求項５】
前記糸状物の巻取り装置において、
所定の巻数のうち、往路における往路巻数と復路における復路巻数とに分けて、
前記制御手段が、
前記第１巻枠体から順に各巻枠体に往路巻数の糸状物を巻回した後、その逆順に各巻枠体に復路巻数の糸状物を巻回し、
第１巻枠体において糸状物の終端が来るように前記巻取りガイド手段を移動制御する
請求項４に記載の糸状物の巻取り装置。
【請求項６】
前記糸状物の巻取り装置の制御手段が、
前記第１巻枠体でその巻幅の一端位置から、他端位置に向けて糸状物を巻幅方向に巻回又は横架させる際の巻取りガイド手段の移動速度と、
各巻枠体における巻取り作業時の巻取りガイド手段の移動速度と、
各巻枠体における所定の巻数又は、往路巻数、復路巻数の終了時に、当該巻枠体の端部まで糸状物を移動させる際の巻取りガイド手段の移動速度と、
各巻枠体間で糸状物を移動させる際の巻取りガイド手段の移動速度と
をそれぞれ変動制御可能な
請求項４又は５に記載の糸状物の巻取り装置。
【請求項７】
前記糸状物の巻取り装置において、
糸状物の始端から引き出し動作する引取ローラと、糸状物始端において糸状物の移動を停止させる始端停止手段と、該停止手段と連動して糸状物を始端にて切断する始端切断手段とから構成される糸付け機構を配設した
請求項４ないし６に記載の糸状物の巻取り装置。
【請求項８】
前記巻枠体に、
該巻枠体の少なくとも一部の外径を小さく変化させることにより巻取り後の糸状物の張力を緩和する張力緩和機構を配設した
請求項４ないし７に記載の糸状物の巻取り装置。
【発明の詳細な説明】
【技術分野】
【０００１】
本発明は、連続した糸状物を巻枠体に巻取る方法及び装置に関し、特に糸状物の巻取り位置の制御方法に係る。
【背景技術】
【０００２】
従来から１本の連続した糸状物を巻取って糸状物の束を作ることが行われており、例えば、中空糸膜、合成畳表、ブラシなどは糸状物の束を作成した後に、それを一定長に裁断して生産されている。
中空糸膜は一般に、高分子化合物を溶液状態あるいは溶融状態にて紡口ノズルより円環状に吐出し、水浴等を通して凝固または冷却固化させた後、巻取り装置にて巻取り、さらに所定の長さに裁断することで生産されている。
【０００３】
一般的に、糸状物の束を作る技術として、特許文献１に開示される線状体の巻取・処理装置や、特許文献２に開示される一定長の糸状物の束を得る方法及び装置が知られている。前者の技術は、ガイド駆動機構によりガイド部材を巻枠に沿って移動させることによって、線状体を巻枠に巻取り、ベルトコンベアなどを所定のエンドレスな経路に沿って移動させることによって、この巻枠に巻取られた線状体を処理手段の処理位置まで運搬し、処理を行うことを可能にしたものである。後者の技術は、走行する連続糸状物を任意の位置で欠点検査を行いながら、欠点のない区間は良品トラックに巻取る一方、欠点を含む区間は不良品トラックに切断することなく移行して巻取り、乱れのない、より太い糸状物の束に加工することを可能にする技術である。
【０００４】
【特許文献１】特公昭６２−２０２９９号公報
【特許文献２】特公平１−１５４６８号公報
【０００５】
このように、巻枠に糸状物を巻取る際に、従来は特許文献３において詳細に開示されているように、まず糸端を糸端固定装置で把持した上で巻取りを開始するように構成して、糸が解れるのを防いだり、巻取り時のテンションを一定に保たつようにしていた。
そのため、巻取り開始時には糸端を手動により糸端固定装置に把持させるか、より複雑な制御機構により糸端を自動的に把持させるようにしなければならず、巻枠体に糸端固定装置を配設するため重量バランスを配慮する必要があった。
【０００６】
【特許文献３】特開平１０−１９４６０６号公報
【発明の開示】
【発明が解決しようとする課題】
【０００７】
本発明は、上記従来技術の有する問題点に鑑みて創出されたものであり、その目的は、巻枠体への糸状物の巻取り開始時に簡易な方法で糸状物の始端を繋止可能にし、巻取り工程の縮減及び巻取り装置の簡素化を図ることである。
【課題を解決するための手段】
【０００８】
上記目的を達成するために、本発明による糸状物の巻取り方法は次の特徴を備える。
すなわち、請求項１に記載の発明は、少なくとも１本の連続した糸状物を、同軸上で複数並列して配置された環状又は多角状の巻枠体に、それぞれ所定の巻幅及び巻数で各々巻取る方法であって、糸状物の巻回を開始する第１巻枠体において、該巻幅の一端位置から、他端位置に向けて糸状物を巻幅方向に巻回又は横架させ、再び該一端位置に向けて該巻回又は横架した糸状物上に重合させて糸状物の巻取り作業を行うことにより該糸状物の始端を繋止した後に、各巻枠体において、所定の巻数になるまで巻取り作業を行うことを特徴とする。
【０００９】
また、請求項２に記載の発明は、前記糸状物の巻取り方法において、所定の巻数のうち、往路における往路巻数と復路における復路巻数とに分けて、前記第１巻枠体から順に各巻枠体に往路巻数の糸状物を巻回した後、その逆順に各巻枠体に復路巻数の糸状物を巻回し、第１巻枠体において糸状物の終端が来るようにしたことを特徴とするものである。
【００１０】
請求項３に記載の発明は、前記糸状物の巻取り方法において、該糸状物の巻枠体軸方向移動速度が、前記第１巻枠体でその巻幅の一端位置から、他端位置に向けて糸状物を巻幅方向に巻回又は横架させる際の速度と、各巻枠体における巻取り作業時の速度と、各巻枠体における所定の巻数又は、往路巻数、復路巻数の終了時に、当該巻枠体の端部まで糸状物を移動させる速度と、各巻枠体間で糸状物を移動させる速度とについてそれぞれ変化させることを可能にしたものである。
【００１１】
本発明では、次のような巻取り装置を提供することもできる。すなわち、請求項４に記載の発明は、少なくとも１本の連続した糸状物を巻枠体に巻取る装置であって、該装置に同軸上で複数並列して配置された環状又は多角状の巻枠体と、該巻枠体を回転駆動する巻枠体駆動手段と、該巻枠体の軸方向に移動して糸状物の巻取り位置を変化させる巻取りガイド手段と、該巻取りガイド手段を制御する制御手段と、各巻枠体における糸状物の巻数を検出する巻数検出手段とを備える。
そして、巻枠体駆動手段により巻枠体を回転駆動させると同時に、該制御手段が、該巻枠体のうち、糸状物の巻回を開始する第１巻枠体において、該巻幅の一端位置から、他端位置に向けて糸状物を巻幅方向に巻回又は横架させ、再び該一端位置に向けて該巻回又は横架した糸状物上に重合させて糸状物の巻取り作業を行うように巻取りガイド手段を移動制御して該糸状物の始端を繋止した後、各巻枠体において、巻数検出手段で巻数を検出しながら巻取り作業を行うことを特徴とする。
【００１２】
請求項５に記載の発明によれば、前記糸状物の巻取り装置において、所定の巻数のうち、往路における往路巻数と復路における復路巻数とに分けて、前記制御手段が、前記第１巻枠体から順に各巻枠体に往路巻数の糸状物を巻回した後、その逆順に各巻枠体に復路巻数の糸状物を巻回し、第１巻枠体において糸状物の終端が来るように前記巻取りガイド手段を移動制御することを特徴とする。
【００１３】
また、請求項６に記載の発明では、前記糸状物の巻取り装置の制御手段が、前記第１巻枠体でその巻幅の一端位置から、他端位置に向けて糸状物を巻幅方向に巻回又は横架させる際の巻取りガイド手段の移動速度と、各巻枠体における巻取り作業時の巻取りガイド手段の移動速度と、各巻枠体における所定の巻数又は、往路巻数、復路巻数の終了時に、当該巻枠体の端部まで糸状物を移動させる際の巻取りガイド手段の移動速度と、各巻枠体間で糸状物を移動させる際の巻取りガイド手段の移動速度とをそれぞれ変動制御可能な糸状物の巻取り装置を提供する。
【００１４】
請求項７に記載の前記糸状物の巻取り装置には、糸状物の始端から引き出し動作する引取ローラと、糸状物始端において糸状物の移動を停止させる始端停止手段と、該停止手段と連動して糸状物を始端にて切断する始端切断手段とから構成される糸付け機構を配設したことを特徴とするものである。
【００１５】
請求項８に記載の発明によれば、前記巻枠体に、該巻枠体の少なくとも一部の外径を小さく変化させることにより巻取り後の糸状物の張力を緩和する張力緩和機構を配設した糸状物の巻取り装置を提供する。
【発明の効果】
【００１６】
以上の手段により次の効果を奏する。すなわち、請求項１に発明によると、糸状物の巻回を開始する第１巻枠体において、該巻幅の一端位置から、他端位置に向けて糸状物を巻幅方向に巻回又は横架させ、再び該一端位置に向けて該巻回又は横架した糸状物上に重合させて糸状物の巻取り作業を行うことで、糸状物の始端近傍から所定の区間上を糸状物が積層するため、始端を固定しなくとも解れる恐れがない。
本方法によると、始端を固定する工程が不要となるため作業効率の向上に寄与することができる。
【００１７】
また、請求項２に記載の発明によれば、往路における往路巻数と復路における復路巻数とに分けて巻回するので、全巻枠体への巻取り完了時に第１巻枠体において糸状物の終端が来るようになり、始端及び終端の位置を合わせることができ、各巻枠体への巻数の安定化を図ることができる。また、特に複数並列した巻枠体の組を、巻取り時用巻枠体組と、巻取り後作業用巻枠体組で２組以上設けるときに、終端位置から別の組の始端位置までの移動距離を短くすることができるので、巻取り作業の連続化に寄与する。
【００１８】
請求項３に記載の発明によれば、第１巻枠体でその巻幅の一端位置から、他端位置に向けて糸状物を巻幅方向に巻回又は横架させる際の速度と、各巻枠体における巻取り作業時の速度と、各巻枠体における所定の巻数又は、往路巻数、復路巻数の終了時に、当該巻枠体の端部まで糸状物を移動させる速度と、各巻枠体間で糸状物を移動させる速度とを変化させることにより、巻枠体の回転速度を変化させることなく、不要な巻取りを行わずに高速な巻取り作業を実現する。
【００１９】
本発明による請求項４記載の巻取り装置によると、制御手段が、糸状物の巻回を開始する第１巻枠体において、該巻幅の一端位置から、他端位置に向けて糸状物を巻幅方向に巻回又は横架させ、再び該一端位置に向けて該巻回又は横架した糸状物上に重合させて糸状物の巻取り作業を行うように巻取りガイド手段を移動制御することにより、糸状物の始端近傍から所定の区間上を糸状物が積層するため、始端を固定しなくとも解れる恐れがなく好適な巻取り作業を実現できる。同時に、巻取り装置に、従来必要であった始端の固定装置を配設する必要がなく、巻取り装置の簡素化、低コスト化に寄与する。
【００２０】
また、請求項５に記載の発明によれば、往路における往路巻数と復路における復路巻数とに分けて巻回するので、全巻枠体への巻取り完了時に第１巻枠体において糸状物の終端が来るようになり、始端及び終端の位置を合わせることができ、各巻枠体への巻数の安定化を図る巻取り装置に寄与する。
特に巻取り装置が、複数並列した巻枠体の組を、巻取り時用巻枠体組と、巻取り後作業用巻枠体組で２組以上設ける構成のときに、終端位置から別の組の始端位置までの移動距離を短くすることができるので、巻取りガイド手段の移動量を少なくし、制御が容易になる。
【００２１】
請求項６に記載の発明によれば、制御手段により、巻取りガイド手段の移動速度を変じることにより、巻枠体の回転速度を変化させることなく、不要な巻取りを行わずに高速な巻取り作業を実現する巻取り装置を提供することができる。
【００２２】
請求項７に記載の発明によれば、糸付け機構を備えるので、人手によって糸付けすることが困難な糸状物の巻取りに際しても、自動的に糸付けを行うことができるので、作業の迅速化、安全性の向上に寄与する。
また、請求項８に記載の発明では、張力緩和機構を備えることにより、巻取り完了後に糸状物を取り外す際に、容易に作業を行うことができる。また、糸束を乱れなく取り出すことができ、作業効率を改善することができる。
【発明を実施するための最良の形態】
【００２３】
以下、本発明の最良と考えられる実施形態を、図面に示す実施例を基に説明する。なお、実施形態は下記に限定されるものではない。
図１は、本発明における巻取り方法を実施する巻枠体の説明図、図２は糸状物の巻取り位置をグラフ化した説明図である。
本発明は複数の巻枠体を同軸上に並列して構成し、例えば図１において第１巻枠体（１０）から順に第２巻枠体（２０）、第３巻枠体（３０）、第４巻枠体（４０）の４個の巻枠体を並列配置している。図２における４つのレーンもそれぞれ、上記巻枠体に対応している。また、図２における横軸は該巻枠体組の回転角である。これらの巻枠体から成る巻枠体組は同時に回転し、各巻枠体毎に所定の巻数ずつ巻枠体の巻幅に亘って糸状物を巻回する。
【００２４】
本発明による巻取り方法によるトラバース動作は、まず第１巻枠体の一端（１１）に導入された糸状物を、巻幅方向の反対側他端（１２）まで略巻幅方向に横架する。図１では説明に便利なように略半周分糸状物を巻回したように図示しているが、好ましくは図２のように糸状物の軸方向の移動速度を高速にして、ほぼ巻枠体の軸に平行となる程度に横架させ、正確に巻数を検出できるようにした方が良い。
巻数を正確に検出するために、巻幅分の移動時に例えば丁度１回分巻回してから、次のトラバース動作を行ってもよい。
【００２５】
いずれにおいても、第１巻枠体の他端（１２）位置まで移動した後に、再び前記の一端（１１）位置まで糸状物の巻取りを行う。このとき、糸状物の始端から所定の区間は横架又は巻回しており、該糸状物はその上に重合する形で巻回されるので、始端が解けることなく固定される。
そして、規定の巻数を第１巻枠体（１０）に巻回した後に、第２巻枠体（２０）の一端（２１）まで糸状物を移動させ、該一端（２１）から規定の巻数を巻回する。第２巻枠体（２０）の他端（２２）まで巻回したときに規定の巻数となるようにすると良い。
【００２６】
各巻枠体への巻数は、予め所定の巻数分を一度に巻回させてもよいが、本発明では第１巻枠体（１０）から第４巻枠体（４０）に向けて往路の巻回をした後に、再び第４巻枠体（４０）から第１巻枠体（１０）に向けて復路の巻回をすることができるので、往路及び復路に分けてそれぞれ規定の回数を巻回してもよい。
【００２７】
以下順に、第２巻枠体（２０）の他端（２２）から第３巻枠体（３０）の一端（３１）に移動させた後、規定の巻数を第３巻枠体（３０）に巻回し、さらに他端（３２）から第４巻枠体（４０）の一端（４１）に移動させる。
第４巻枠体（４０）では他端（４２）まで往路の規定の巻数を巻回した後に引き続いて、所定の巻数になるまで巻回を続ける。
そして、満巻を検知した位置（４３）から、第３巻枠体の他端（３２）まで糸状物を移動させ、第３巻枠体に巻回させる。
同様に、第３巻枠体（３０）の満巻検知位置（３３）から、第２巻枠体他端（２２）、第２巻枠体（２０）の満巻検知位置（２３）から第１巻枠体他端（１２）と順に巻回、移動を繰り返し、第１巻枠体（１０）の満巻検知位置（１３）において、本巻枠体組への巻取り作業を終了する。
【００２８】
以上の動作において、本発明は、第１巻枠体（１０）で始端の固定を行うトラバース動作の後、往路において例えば各巻枠体に８回ずつ巻回し、復路において９２回ずつ巻回するように、往路と復路とでそれぞれ巻取り動作を行い、合計の巻数が所定の１００回となるようにすることができる。本巻取り方法によれば、第１巻枠体（１０）から巻取りを開始して、再び同巻枠体で全ての巻枠体への巻取りが終了するため、糸状物の巻取り位置が開始時と終了時で略同一になり、前後の工程において、巻枠体組間を糸状物が渡る距離を短くすることができる。
【実施例】
【００２９】
次に、以上の巻取り方法を用いた巻取り装置の実施例として、糸状物である中空繊維の巻取り装置及び周辺装置の正面図を図３に、同平面図を図４に示して説述する。
巻取り装置（５０）には、図示しない紡糸装置から供給される中空繊維（Ｓ）が導入され、中空繊維（Ｓ）は途中で繊維の張力を調整し、欠錘を検知するダンサー・欠錘検知機（１００）を経由する。
ダンサーを用いることにより、中空繊維を多層巻にする場合、下層の繊維が巻取り張力で潰れないように張力を制御することができる。また、欠錘検知機により、巻取り中に欠錘が生じた場合に検知し、巻取った中空繊維の巻数を一定にすることができる。
【００３０】
本実施例において紡糸装置からは複数の中空繊維、例えば１６本の繊維束が供給され、巻取り装置（５０）において一括して巻取る。巻取り装置（５０）には前後に一対の巻枠体組（５１）（５２）を備えており、各巻枠体組（５１）（５２）は作業に合わせてレール（５３）上を左右に摺動可能である。
巻枠体組（５１）（５２）のダンサー・欠錘検知機（１００）側には巻取りガイド手段であるトラバース機（５４）が配置され、供給される中空繊維の巻取り位置を自在に調整できるようになっており、該トラバース機（５４）は、制御盤（５５）によって制御される。
【００３１】
図５ないし図７には、巻枠体組近傍の詳細を示す側面図、平面図、正面図を示す。各巻枠体組（５１）（５２）は、それぞれの外側端に端板（６０）（６１）を備え、該端板（６０）（６１）のさらに外側には巻枠体組（５１）（５２）を回転駆動させる駆動モータ（６２）（６３）を配している。
駆動モータ（６２）（６３）はそれぞれ台車（６４）（６５）上に載置され、該台車（６４）（６５）は、巻取り装置（５０）のレール上（５３）を走行して左右に摺動する。
【００３２】
巻枠体組（５１）（５２）は、端板（６０）（６１）から円周状に１２本ずつ互いに対向して突設したリール軸（７０）・・と、該リール軸に各４個ずつ嵌設されたリール仕切り板（７１）・・とにより第１巻枠体部（７２）、第２巻枠体部（７３）、第３巻枠体部（７４）、第４巻枠体部（７５）がそれぞれ形成されている。
【００３３】
また、巻取り装置（５０）には、糸付け機構を備え、最初に巻枠体組（５２）に糸付けする作業を自動化できるようにしている。糸付け機構は、作業者が最初に引取ロール（９２）と図９に示す糸状物停止器（９３）、及び切断器（９４）から構成される。
糸付けの際には、まず作業者が糸状物を引取ロール（９２）に掛け、引取ロール（９２）の回転に伴って糸端は下方の箱（９５）内に引き取られる。
【００３４】
糸状物は、途中糸状物停止器（９３）と切断器（９４）内を通過している。糸状物停止器（９３）は上下に係止部材（９３ａ）を移動させるシリンダ部（９３ｂ）を備え、糸付け時に、糸状物を係止台（９３ｃ）と係止部材（９３ａ）で挟持して停止させる。
一方、切断器（９４）は、停止させた直後にシリンダ部（９４ａ）を駆動して切断刃（９４ｂ）によって糸状物を切断し、巻取りの始端とする。
以上の作用によって本実施例では、巻枠体への糸付けが自動的に行われる。さらに、自動糸付け時に、糸状物の停止、切断と同時に巻枠体を回転させることにより、糸状物が連続走行状態で糸付けできる。また、糸付け時に生じる若干のたるみはダンサーで吸収する。
【００３５】
そして、図４のように、巻取り時には巻枠体組をトラバース機（５４）側に摺動させ、トラバース機（５４）によって本発明によるトラバース動作を行う。トラバース機（５４）の側面図を図８に示す。中空繊維を挿通して巻枠体における巻取り位置を決定するトラバースガイド（８０）は、上下に並列したボールネジ軸（８１）とスライド棒（８２）にそれぞれ嵌合するスライド軸受（８３）に付設される。ボールネジ軸（８１）とスライド棒（８２）は、端部近傍を軸受（８４）（８５）に枢支されており、ボールネジ軸（８１）はＡＣサーボモータ（８６）によって回転駆動する。
ボールネジ軸（８１）の回転に伴ってトラバースガイド（８０）は巻枠体の回転軸に平行に変位し、該位置情報はセンサ（８７）によって検知される。これらの位置情報は制御盤（５５）に送信され、前記トラバース動作を実行すべく、制御盤（５５）からの制御信号がＡＣサーボモータ（８６）を制御する。
【００３６】
このとき、トラバース動作としては図１に示した動作の他、第２巻枠体（２０）、第３巻枠体（３０）についても、第１巻枠体（１０）と同様にまず右端まで糸を巻回または横架させた後にそれを繋止するような動作をさせてもよく、このように動作の種類を減らすことにより制御ソフトの簡略化を図ることもできる。
【００３７】
また、ＡＣサーボモータ（８６）の回転速度を変じることで、トラバースの速度が容易に変化させられる。
例えば、中空繊維を一定の巻幅、例えば本実施例における１２０ｍｍで整列しながら積層して巻取る際には、２〜４ｍｍ／秒とする一方、満巻を検出して当該巻枠体の端部まで中空繊維を移動する際には、１０〜１２０ｍｍ／秒、各巻枠体間で移動させる際や、後述する巻枠体組間を移動させる際には、４００〜７５０ｍｍ／秒というように、より高速に移動させることができる。
【００３８】
駆動モータ（６２）（６３）と連係して巻数を検出する図示しない巻数検出機により、全ての巻枠体の満巻を検出した際には、他方の巻枠体組に中空繊維を移動させて、再び巻取り作業を行う。
すなわち、図６に巻枠体組の位置をＡ〜Ｄの符号を付して説述すると、巻枠体組（５２）がＢの位置で巻取り作業を行い満巻となる時、他方の巻枠体組（５１）を並列したＤの位置に配置し、巻枠体組（５２）の第１巻枠体部（７２）から、巻枠体組（５１）の第１巻枠体部（７２）に糸を移動させる。このとき、２つの巻枠体組（５１）（５２）は同期回転させている。
【００３９】
なお、満巻となった巻枠体組（５２）については、回転を停止させるが、この際、糸状物の終端が巻取り方向で巻枠体組の上端よりも手前にある所で回転を停止するように制御する。これは、上端を超えると糸状物の終端が重力により落下し、糸状物が解れたり、巻数が異なってしまうのを防止するためである。
【００４０】
移動直後において、巻枠体組（５１）では本発明のトラバース動作を行うことで始端を固定すると共に、満巻となった巻枠体組（５２）では中空繊維を該巻枠体上で把持切断する。
本実施例の中空繊維は、巻取られた束で所定の長さ毎に裁断するため、巻枠体組（５２）を左方のＡ位置まで摺動し、裁断及び取り出し作業を行う。これにより、巻枠体組（５１）において巻取り作業を行いながら、巻枠体組（５２）を空にして巻枠体組（５１）の満巻時には再びＢの位置において巻取り作業を開始することができる。
同様に、巻枠体組（５１）も位置Ｃ及び位置Ｄを摺動させながら連続的な作業を行うことができる。
【００４１】
本実施例の端板（６０）（６１）には図７に示すように、２本のリール軸（７０）を付設した部分（６０ａ）（６１ａ）が扇状に分離してあり、通常の巻取り時には該部分のリール軸（７０）は他と同一の円周上に位置する一方で、中空繊維の取り出し時にシリンダー（９０）の動作によりその径を小さくし、図１のように一部が切り欠けることで張力を緩和できる張力緩和機構を構成している。
また、全てのリール軸は放射状に配設されたシリンダー（９１）・・により遠心方向に位置を変位可能であり、生産する中空繊維の製品長に合わせて円周長を変えられるようになっている。
【００４２】
以上説述した巻枠体は、放射状に設けたリール軸及びリール仕切り板により、巻取り時には１２角形に巻取られる構成であるが、本発明は該巻枠体が環状であって巻取り時に円形となる構成でもよいし、他の角形形状でもよい。
【図面の簡単な説明】
【００４３】
【図１】本発明における巻取り方法を実施する巻枠体の説明図である。
【図２】同、糸状物の巻取り位置をグラフ化した説明図である。
【図３】中空繊維の巻取り装置及び周辺装置の正面図である。
【図４】同、平面図である。
【図５】巻枠体組近傍の詳細を示す側面図である。
【図６】同、平面図である。
【図７】同、正面図である。
【図８】本発明に係るトラバース機の側面図である。
【図９】本発明にかかる糸付け機構の斜視図である。
【符号の説明】
【００４４】
１０    第１巻枠体
１１    一端位置
１２    他端位置
２０    第２巻枠体
２１    一端位置
２２    他端位置
３０    第３巻枠体
３１    一端位置
３２    他端位置
４０    第４巻枠体
４１    一端位置
４２    他端位置
【図１】
2005089173.tif 000003
【図２】
2005089173.tif 000004
【図３】
2005089173.tif 000005
【図４】
2005089173.tif 000006
【図５】
2005089173.tif 000007
【図６】
2005089173.tif 000008
【図７】
2005089173.tif 000009
【図８】
2005089173.tif 000010
【図９】
2005089173.tif 000011